(57)【要約】【課題】枠体に対する扉の相対位置を、枠体の左右，枠体の前後及び上下の３方向において無段階かつ互いに独立して容易に調整でき、その調整を扉を取り外すことなく行えるようにする。【解決手段】枠側ヒンジ部Ｃは、枠体５０への固着位置を前後方向で調整する枠用取付部材７０と、調整ねじ９０を保持する枠用ベース８０と、左右に摺動する枠用調整体１００とを有し、枠用調整体１００を調整ねじ９０により左右に移動させている。扉側ヒンジ部Ｄは、扉用取付部材２００と、調整ねじ２２０を保持する扉用ベース２１０と、調整ねじ２２０に螺合し、上下方向で摺動自在な扉用調整体２３０と、扉用調整体２３０に上下移動自在にし、一端部を枠用調整体１００に保持した軸２５０と、一端部が枠用調整体１００に保持されるように軸１００を付勢する付勢部材２７０とを有し、扉用調整体１００を調整ねじ２２０により上下に移動させている。【選択図】図７
2008063771.tif 000002
【特許請求の範囲】
【請求項１】
枠体に固定する枠側ヒンジ部と、扉に固定する扉側ヒンジ部とからなるとともに、枠側ヒンジ部と扉側ヒンジ部との相対的な位置調整を行うことにより、枠体に対する扉の取付け位置を調整するヒンジ装置であって、
枠側ヒンジ部は、
枠体の前後方向で扉を移動調整する前後方向調整手段と、
枠体の左右方向で扉を移動調整する左右方向調整手段とを有しており、
扉側ヒンジ部は、枠体の上下方向で扉を移動調整する上下方向調整手段を有していることを特徴とするヒンジ装置。
【請求項２】
枠側ヒンジ部は、枠体への固着位置を枠体の前後方向で無段階に調整可能な枠用取付部材と、枠体の左右方向で扉を移動調整するための第一のねじ部材とを有していることを特徴とする請求項１に記載のヒンジ装置。
【請求項３】
枠側ヒンジ部は、枠用取付部材に固着されているとともに、第一のねじ部材を枠体の左右方向に向けかつ正逆回転自在に保持する枠用ベースと、
第一のねじ部材に螺合し、かつ、枠用ベースに対して枠体の左右方向で摺動自在な枠用調整体とを有しており、
第一のねじ部材の正逆回転操作により、枠用調整体を枠体の左右方向で移動させるようにしていることを特徴とする請求項２に記載のヒンジ装置。
【請求項４】
扉側ヒンジ部は、枠体の上下方向で扉を移動調整するための第二のねじ部材を有していることを特徴とする請求項１〜３のいずれかに記載のヒンジ装置。
【請求項５】
扉側ヒンジ部は、
扉に固着するための扉用取付部材と、
扉用取付部材に固着されているとともに、第二のねじ部材を枠体の上下方向に向けかつ正逆回転自在にして保持する扉用ベースと、
第二のねじ部材に螺合し、かつ、扉用ベースに対して枠体の上下方向で摺動自在な扉用調整体と、
扉用調整体に上下移動自在にし、かつ、一端部を上記枠用調整体に保持された軸と、
軸の一端部が枠用調整体に常時保持されるように、軸を弾性的に付勢する付勢部材とを有しており、
第二のねじ部材の正逆回転操作により、扉用調整体を枠体の上下方向で移動させるようにしていることを特徴とする請求項４に記載のヒンジ装置。
【請求項６】
枠用取付部材には、固定用部材を挿入して枠体に固定するための長孔が枠体の前後方向に長くなるようにして形成されており、枠体に仮止めした固定用部材に対し、枠用取付部材を枠体の前後方向で移動させることにより、枠体の前後方向での扉の取付け位置を調整することを特徴とする請求項２〜５のいずれかに記載のヒンジ装置。
【請求項７】
第一，第二のねじ部材の両端面のうちのいずれか一方に、ドライバ等の一般工具により回転させるための回転用溝を形成していることを特徴とする請求項４〜６のいずれかに記載のヒンジ装置。
【請求項８】
扉用調整体と軸との間に、軸の回転を円滑にするためのガイド部材を介挿していることを特徴とする請求項５〜７のいずれかに記載のヒンジ装置。
【請求項９】
第一のねじ部材と第二のねじ部材を、枠体で囲繞区画された空間部外に配置していることを特徴とする請求項５〜８のいずれかに記載のヒンジ装置。
【請求項１０】
枠体に固定する枠側ヒンジ部と、扉に固定する扉側ヒンジ部とからなるとともに、枠側ヒンジ部と扉側ヒンジ部との相対的な位置調整を行うことにより、枠体に対する扉の取付け位置を調整するヒンジ装置であって、
枠側ヒンジ部は、
枠体の前後方向で扉を移動調整する前後方向調整手段を有しており、
扉側ヒンジ部は、
枠体の左右方向で扉を移動調整する左右方向調整手段と、
枠体の上下方向で扉を移動調整する上下方向調整手段を有していることを特徴とするヒンジ装置。
【請求項１１】
枠側ヒンジ部は、枠体の前後方向で扉を移動調整するための第三のねじ部材を有していることを特徴とする請求項１０に記載のヒンジ装置。
【請求項１２】
枠側ヒンジ部は、第三のねじ部材に螺合し、かつ、枠用ベースに対して枠体の前後方向で摺動自在な枠用調整体を有しており、
第三のねじ部材の正逆回転操作により、枠用調整体を枠体の前後方向で移動させるようにしていることを特徴とする請求項１１に記載のヒンジ装置。
【請求項１３】
扉側ヒンジ部は、枠体の左右方向で扉を移動調整するための第一のねじ部材と、枠体の前後方向で扉を移動調整するための第二のねじ部材とを有していることを特徴とする請求項１０〜１２のいずれかに記載のヒンジ装置。
【請求項１４】
扉側ヒンジ部は、扉に固定するための扉用取付部材と、
扉用取付部材に固着されているとともに、第一のねじ部材を枠体の左右方向に向けかつ正逆回転自在に保持する扉用ベースと、
第一のねじ部材に螺合し、かつ、枠用ベースに対して枠体の左右方向で摺動自在に支持されているとともに、第二のねじ部材を枠体の上下方向に向けかつ正逆回転自在に保持する扉用左右調整体と、
第一のねじ部材に螺合し、かつ、扉用左右調整体に対して枠体の上下方向で摺動自在な扉用上下調整体と、
扉用上下調整体に上下移動自在にし、かつ、一端部を上記枠用調整体に保持された軸と、
軸の一端部が枠用調整体に常時保持されるように、軸を弾性的に付勢する付勢部材とを有しており、
第一のねじ部材の正逆回転操作により、扉用左右調整体を枠体の左右方向で、かつ、第二のねじ部材の正逆回転操作により、扉用上下調整体を枠体の上下方向でそれぞれ移動させるようにしていることを特徴とする請求項１３に記載のヒンジ装置。
【発明の詳細な説明】
【技術分野】
【０００１】
本発明は、枠側ヒンジ部と扉側ヒンジ部との相対的な位置調整を行うことにより、枠体に対する扉の取付け位置を調整するヒンジ装置に関する。
【背景技術】
【０００２】
この種のヒンジ装置として、例えば特許文献１に開示された構成のものがある。図１８は、その従来のヒンジ装置の断面図、図１９は、その従来のヒンジ装置の主要部の分解斜視図、図２０は、断面にして示す従来のヒンジ装置を介して扉を枠体に取り付けた状態の部分正面図である。
【０００３】
従来のヒンジ装置１は、図２０に示す枠体２に固定するための枠用取付部材３、及び基板４からなる枠側ヒンジ部５と、扉側ヒンジ部６とからなる（図１８参照）。
枠用取付部材３は、水平部３ａの一端に垂直部３ｂを形成したものであり、水平部３ａの他端部には、下記の基板４を嵌合させるための基板嵌合孔３ｃが形成されている。
基板４は略円盤形に形成されており、これには偏心孔４ａと多角形突起４ｂが形成されている（図１８，１９参照）。
【０００４】
一方、扉側ヒンジ部６は、扉取付材８と、内部に小径部７ａ及びこの小径部７ａより大径の雌ねじ部７ｂとが同軸で設けられているとともに、扉取付材８の嵌合孔８ａに嵌合立設されたスリーブ７と、内部にばね９が装着されためくら孔１０ａを有するピボット軸１０と、上記雌ねじ部７ｂに螺合可能な雄ねじ部１１ａとボス部の異形軸１１ｂと、この異形軸１１ｂの軸芯部に調整溝１１ｃが形成された調整ねじ１１と、上記の異形軸１１ｂに着脱可能な異形孔１２ａを形成した回止め軸１２ｂを突設したキャップ１７とを有している。
【０００５】
図２０に示すように、上記した一対のヒンジ装置１，１のうち、扉側ヒンジ部６，６を扉５の上下隅部に固着し、また、枠用取付部材３，３を枠体２の上下隅部に対向するようにして固着するとともに、偏心孔４ａにピボット軸１０の先端（下端）を摺動可能に挿着して扉５を開閉可能とする。
また、前記ばね９によりピボット軸１０を突出方向に付勢することにより、前記ピボット軸１０の先端を前記扉側ヒンジ部６のスリーブ７先端と面一及び突出状態の範囲に調整するようにしている。
【０００６】
上記の構成からなる上下一対のヒンジ装置１，１による扉５と枠体２との取付け位置の上下調整は、まず、キャップ１２を外した後、調整ねじ１１とスリーブ７内で進退させることにより、ピボット軸１０を上又は下方に移動させることにより行っている。
【０００７】
また、扉５と枠体２との取付け位置の前後左右の調整は、ピボット軸１０の先端を、基板４を回転させることにより偏心孔４ａの軸芯からの偏心位置を変えることにより調整するが、水平部３ａの多角形孔３ｃに嵌着する多角形の多角形突起４ｂの向きを変えることにより、ピボット軸１０の軸芯を前後左右に調整する。
上記の調整作業は、扉と装着されたヒンジ装置１をいったん取り外してから多角形孔３ｃに対する多角形突起４ｂの向きを変えた後、ピボット軸１０の位置をずらして偏心孔４ａに嵌着してなされ、偏心位置は嵌着する多角形の位置に対応した段階毎に変えようとしたものである。
【特許文献１】特開平２００３−１７６６５９号公報
【発明の開示】
【発明が解決しようとする課題】
【０００８】
しかしながら、前記した従来構成のヒンジ装置において、枠体２に対する扉５の前後左右の取付け位置の調整作業を行うには、基板４を扉取付材８の嵌合孔８ａに嵌合させた状態のまま回転させられないために、枠体２に吊り込まれている扉５を調整作業の度に取り外さなければならず、その調整が煩雑で時間を要するものである。
【０００９】
また、前後左右の調整を基板４の多角形突起４ｂの向きを変えることにより行うものであるため、多角形突起４ｂの形状に依存した段階的な調整が行えるにすぎず、微妙な調整を行うことができない。
さらに、前後方向の調整を行おうとして基板４を回転させると、この回転によって左右方向の調整に影響を与えてしまい、それらの調整が互いに干渉してしまうという欠点がある。
【００１０】
そこで本発明は、枠体に対する扉の相対位置を、枠体の左右方向，枠体の前後方向及び上下方向の３方向において無段階かつ互いに独立して容易に調整することができるとともに、その調整を扉を取り外すことなく行うことができるヒンジ装置の提供を目的としている。
【課題を解決するための手段】
【００１１】
上記目的を達成するための本発明の構成は、次のとおりである。
請求項１に記載したヒンジ装置は、枠体に固定する枠側ヒンジ部と、扉に固定する扉側ヒンジ部とからなるとともに、枠側ヒンジ部と扉側ヒンジ部との相対的な位置調整を行うことにより、枠体に対する扉の取付け位置を調整するものであり、枠側ヒンジ部は、枠体の前後方向で扉を移動調整する前後方向調整手段と、枠体の左右方向で扉を移動調整する左右方向調整手段とを有しており、扉側ヒンジ部は、枠体の上下方向で扉を移動調整する上下方向調整手段を有していることを特徴としている。
【００１２】
請求項２に記載のヒンジ装置は、請求項１に記載した枠側ヒンジ部が、枠体への固着位置を枠体の前後方向で無段階に調整可能な枠用取付部材と、枠体の左右方向で扉を移動調整するための第一のねじ部材とを有していることを特徴としている。
【００１３】
請求項３に記載のヒンジ装置は、請求項２に記載した枠側ヒンジ部が、枠用取付部材に固着されているとともに、第一のねじ部材を枠体の左右方向に向けかつ正逆回転自在に保持する枠用ベースと、第一のねじ部材に螺合し、かつ、枠用ベースに対して枠体の左右方向で摺動自在な枠用調整体とを有しており、第一のねじ部材の正逆回転操作により、枠用調整体を枠体の左右方向で移動させるようにしていることを特徴としている。
【００１４】
請求項４に記載のヒンジ装置は、請求項１〜３のいずれかに記載した扉側ヒンジ部が、枠体の上下方向で扉を移動調整するための第二のねじ部材を有していることを特徴としている。
【００１５】
請求項５に記載のヒンジ装置は、請求項４に記載した扉側ヒンジ部が、扉に固着するための扉用取付部材と、扉用取付部材に固着されているとともに、第二のねじ部材を枠体の上下方向に向けかつ正逆回転自在にして保持する扉用ベースと、第二のねじ部材に螺合し、かつ、扉用ベースに対して枠体の上下方向で摺動自在な扉用調整体と、扉用調整体に上下移動自在にし、かつ、一端部を上記枠用調整体に保持された軸と、軸の一端部が枠用調整体に常時保持されるように、軸を弾性的に付勢する付勢部材とを有しており、第二のねじ部材の正逆回転操作により、扉用調整体を枠体の上下方向で移動させるようにしていることを特徴としている。
【００１６】
請求項６に記載のヒンジ装置は、請求項２〜５のいずれかに記載した枠用取付部材に、固定用部材を挿入して枠体に固定するための長孔が枠体の前後方向に長くなるようにして形成されており、枠体に仮止めした固定用部材に対し、枠用取付部材を枠体の前後方向で移動させることにより、枠体の前後方向での扉の取付け位置を調整することを特徴としている。
【００１７】
請求項７に記載のヒンジ装置は、請求項４〜６のいずれかに記載した第一，第二のねじ部材の両端面のうちのいずれか一方に、ドライバ等の一般工具により回転させるための回転用溝を形成していることを特徴としている。
【００１８】
請求項８に記載のヒンジ装置は、請求項５〜７のいずれかに記載した扉用調整体と軸との間に、軸の回転を円滑にするためのガイド部材を介挿していることを特徴としている。  
【００１９】
請求項９に記載のヒンジ装置は、請求項５〜８のいずれかに記載した第一のねじ部材と第二のねじ部材を、枠体で囲繞区画された空間部外に配置していることを特徴としている。
【００２０】
請求項１０に記載のヒンジ装置は、枠体に固定する枠側ヒンジ部と、扉に固定する扉側ヒンジ部とからなるとともに、枠側ヒンジ部と扉側ヒンジ部との相対的な位置調整を行うことにより、枠体に対する扉の取付け位置を調整するものであり、枠側ヒンジ部は、枠体の前後方向で扉を移動調整する前後方向調整手段を有しており、扉側ヒンジ部は、枠体の左右方向で扉を移動調整する左右方向調整手段と、枠体の上下方向で扉を移動調整する上下方向調整手段を有していることを特徴としている。
【００２１】
請求項１１に記載のヒンジ装置は、請求項１０に記載した枠側ヒンジ部が、枠体の前後方向で扉を移動調整するための第三のねじ部材を有していることを特徴としている。
【００２２】
請求項１２に記載のヒンジ装置は、請求項１１に記載した枠側ヒンジ部が、第三のねじ部材に螺合し、かつ、枠用ベースに対して枠体の前後方向で摺動自在な枠用調整体を有しており、第三のねじ部材の正逆回転操作により、枠用調整体を枠体の前後方向で移動させるようにしていることを特徴としている。
【００２３】
請求項１３に記載のヒンジ装置は、請求項１０〜１２のいずれかに記載した扉側ヒンジ部が、枠体の左右方向で扉を移動調整するための第一のねじ部材と、枠体の前後方向で扉を移動調整するための第二のねじ部材とを有していることを特徴としている。
【００２４】
請求項１４に記載のヒンジ装置は、請求項１３に記載した扉側ヒンジ部が、扉に固定するための扉用取付部材と、扉用取付部材に固着されているとともに、第二のねじ部材を枠体の左右方向に向けかつ正逆回転自在に保持する扉用ベースと、第二のねじ部材に螺合し、かつ、扉用ベースに対して枠体の左右方向で摺動自在に支持されているとともに、第二のねじ部材を枠体の上下方向に向けかつ正逆回転自在に保持する扉用左右調整体と、第二のねじ部材に螺合し、かつ、扉用左右調整体に対して枠体の上下方向で摺動自在な扉用上下調整体と、扉用上下調整体に上下移動自在にし、かつ、一端部を上記枠用調整体に保持された軸と、軸の一端部が枠用調整体に常時保持されるように、軸を弾性的に付勢する付勢部材とを有しており、第一のねじ部材の正逆回転操作により、扉用左右調整体を枠体の左右方向で、かつ、第二のねじ部材の正逆回転操作により、扉用上下調整体を枠体の上下方向でそれぞれ移動させるようにしていることを特徴としている。
【発明の効果】
【００２５】
請求項１に記載した発明によれば、枠側ヒンジ部の前後方向調整手段により枠体の前後方向で扉を移動調整し、左右方向調整手段により枠体の左右方向で扉を移動調整することができる。また、扉側ヒンジ部の上下方向調整手段により、枠体の上下方向で扉を移動調整できる。
すなわち、枠体に対する扉の相対位置を、その枠体の左右方向，枠体の前後方向及び上下方向の３方向において互いに独立して容易に調整することができるとともに、その調整を扉を取り外すことなく行うことができる。
【００２６】
請求項１に記載の発明で得られる効果に加え、各請求項に記載した発明によれば次の各効果を得ることができる。
請求項２，３に記載した発明によれば、枠側ヒンジ部は、枠体への固着位置を枠体の前後方向で無段階に調整可能な枠用取付部材と、枠体の左右方向で扉を移動調整するための第一のねじ部材とを有しているので、枠用取付部材の枠体への固定位置を枠体の前後方向で移動させることにより、扉を枠体の前後方向で無段階に調整できる。
また、第一のねじ部材を正逆回転させることにより、枠体の左右方向で扉を無段階に移動調整することができる。
【００２７】
請求項４，５に記載した発明によれば、第二のねじ部材を正逆回転させることにより、枠体の上下方向での扉の移動調整を無段階に行うことができる。
【００２８】
請求項６に記載した発明によれば、枠体の前後方向での枠用取付部材の枠体への固定位置を、枠用取付部材に形成した枠体の前後方向に長い長孔と、枠体に仮止めした固定用部材とにより行っているため、簡易な構造により扉の枠体の前後方向での無段階の調整を行うことができる。
【００２９】
請求項７に記載した発明によれば、第一，第二のねじ部材の両端面のうちのいずれか一方に、ドライバ等の一般工具により回転させるための回転用溝を形成しているので、その調整を容易に行うことができる。
【００３０】
請求項８に記載の発明によれば、扉用左右調整体と軸との間に、軸の回転を円滑にするためのガイド部材を介挿しているので、扉の開閉をより円滑に行うことができる。
【００３１】
請求項９に記載の発明によれば、第一のねじ部材と第二のねじ部材を、枠体で囲繞区画された空間部外に配置しているので、ドライバ等の一般工具による回転操作を容易に行うことができる。
【００３２】
請求項１０に記載の発明によれば、枠側ヒンジ部の前後方向調整手段により、枠体の前後方向での扉の移動調整を行うことができる。また、扉側ヒンジ部の左右方向調整手段により、枠体の左右方向で扉を移動調整することができるとともに、扉側ヒンジ部の上下方向調整手段により、枠体の上下方向で扉を移動調整することができる。
すなわち、枠体に対する扉の相対位置を、その枠体の左右方向，枠体の前後方向及び上下方向の３方向において互いに独立して容易に調整することができるとともに、その調整を扉を取り外すことなく行うことができる。
【００３３】
請求項１１，１２に記載の発明によれば、第三のねじ部材により、枠体の前後方向で扉を移動調整しているので、第三のねじ部材を正逆回転させることにより、枠体の前後方向での扉の移動調整を無段階に行うことができる。
【００３４】
請求項１３，１４に記載の発明によれば、第三のねじ部材の正逆回転操作により、枠用調整体を枠体の前後方向で移動し、第一のねじ部材の正逆回転操作により、扉用左右調整体を枠体の左右方向で、かつ、第二のねじ部材の正逆回転操作により、扉用上下調整体を枠体の上下方向でそれぞれ移動させているので、枠体に対する扉の相対位置を、その枠体の左右方向，枠体の前後方向及び上下方向の３方向において無段階かつ互いに独立して容易に調整することができる。
【発明を実施するための最良の形態】
【００３５】
以下に、本発明を実施するための最良の形態について、図面を参照して説明する。図１は、本発明の第一の実施形態に係るヒンジ装置により扉を枠体に開閉自在に取り付けた扉取付け構造を示す斜視図、図２は、本発明の第一の実施形態に係るヒンジ装置の外観斜視図、図３は、その第一の実施形態に係るヒンジ装置の扉側ヒンジ部の分解斜視図、図４は、その第一の実施形態に係るヒンジ装置の枠側ヒンジ部の分解斜視図、図５は、その第一の実施形態に係るヒンジ装置の平断面図、図６は、その第一の実施形態に係るヒンジ装置の縦断面図、図７は、その第一の実施形態に係るヒンジ装置の正断面図、図８は枠用ベースを示すものであり、（Ａ）はその平面図、（Ｂ）はその正面図、図９は、枠用調整体を示すものであり、（Ａ）はその平面図、（Ｂ）はその正面図、図１０は、扉用調整体を示すものであり、（Ａ）はその平面図、（Ｂ）はその正面図、図１１は、扉用ベースを示すものであり、（Ａ）はその平面図、（Ｂ）はその正面図である。
なお、図１に示す枠体５０の左右方向Ｘを幅方向、前後方向Ｚを奥行き方向、また、上下方向Ｙを高さ方向ともいう。
【００３６】
図１に示すように、枠体５０は、横長方形の縦枠材５１，５２ 及び横枠材５３，５４を正面視長方形に枠組みして形成されており、その枠体５０に、本発明の第一の実施形態に係るヒンジ装置（以下、たんに「ヒンジ装置」という）Ａ，Ｂを介して扉６０が開閉自在に取り付けられている。
【００３７】
ヒンジ装置Ａは、図１，２に示す扉６０の右下に配置する右下用、及びこれを上下逆向きの姿勢にして扉６０の左上に配置する左上用のものを兼ねる構成になっており、また、ヒンジ装置Ｂは、扉６０の左下に配置する左下用、及びこれを上下逆向きの姿勢にして扉６０の右上に配置する右上用のものを兼ねる構成になっている。
【００３８】
なお、上記のヒンジ装置Ｂは、後述する扉用取付部材２００の垂直取付け部２０２、枠用取付部材７０の垂直取付け部７２の位置が左右相違しているだけなので、以下には、ヒンジ装置Ａについて詳細に説明することにし、ヒンジ装置Ｂについては全体の詳細な説明を省略する。
【００３９】
ヒンジ装置Ａは、図１〜４に示すように、枠体５０に固定する枠側ヒンジ部Ｃと、扉６０に固定する扉側ヒンジ部Ｄからなる。
枠側ヒンジ部Ｃは、図４に示すように、枠用取付部材７０、枠用ベース８０、第一のねじ部材である調整ねじ９０、枠用調整体１００、ブッシュ１１０、及び枠用カバー１２０を主要の構成としたものであり、それらの詳細は次のとおりである。
【００４０】
枠用取付部材７０はたとえばステンレス等の金属製のものであり、略横長方形板状の水平取付け部７１と、この水平取付け部７１の一端部７１ａに立設された略縦長方形板状の垂直取付け部７２とを一体に形成したものである。
【００４１】
水平取付け部７１の一端部７１ａ側には、固定用部材である木ねじ（図示しない）を挿入するための円形孔７１ｂと長孔７１ｃが、また、他端部７１ｆ側には円形孔７１ｄ，７１ｅがそれぞれ互いに所要の間隔をおいて中心軸線Ｄ１上に配設されている。
垂直取付け部７２には、図示しない木ねじを挿入するための円形孔７２ａと所要の長さにした横長孔７２ｂ、横長孔７２ｃと円形孔７２ｄとが互いに所定の間隔をおき、また、上下二段にして形成されている。
【００４２】
枠用ベース８０はたとえば亜鉛合金等をダイキャスト成形した略円板状体のものであり、図４，８に示すように、平面視において中心軸線Ｏ１を通る互いに直交する中心軸線Ｄ２，Ｄ３のうち、中心軸線Ｄ２上にガイド溝８１が形成され、中心軸線Ｄ３上であって外周縁部近傍に、上下面８０ａ，８０ｂに連通する固定用孔８２，８３が形成されている。
【００４３】
ガイド溝８１は、上面８０ａを開口した正面視において上向きコ字形のものであり、両端を外周壁に臨ませて開口している。
このガイド溝８１の底面８１ａ上に、詳細を後述する調整ねじ９０を正逆回転自在に保持するねじ保持部８４が形成されているとともに、開口縁部に嵌合用片８１ｂ，８１ｃを内方に突出形成している。
【００４４】
ねじ保持部８４は、底面８１ａ上であって中心Ｏ１に一致して突設したねじ位置決め片８５の両側に、調整ねじ９０の雄ねじ部９２の外径に一致する半径の凹曲面に形成した載置部８６，８６を突設した構成になっている。
ねじ位置決め片８５は、調整ねじ９０の円柱状連結部９１の幅と一致し、かつ、上端面８５ａを中央溝部９１と一致する半径の凹曲面にして形成されている。
外周壁８０ｃには、中心軸線Ｄ３に一致する対向位置に、後述する枠側カバー１２０の係止突起１２２，１２２を係止するための係止片８７，８７が形成されている。なお、８８は、ストッパーピン８９を挿入するためのピン挿入孔である。
【００４５】
調整ねじ９０は、図４に示すように、細径の円柱状連結部９１の両側に、その円柱状連結部９１よりも径太にしかつ互いに同径の雄ねじ部９２，９２を一体に形成したものであり、また、両雄ねじ部９２，９２には、互いにピッチを連続させたねじを螺刻している。
雄ねじ部９２，９２の各外端面９３，９３には、図示しないプラスドライバ等の一般工具を挿入して回転させるための十字溝９４，９４が形成されている。
【００４６】
枠用調整体１００は亜鉛合金等をダイキャスト成形したものであり、図４，９に示すような略直方体形に形成されている。
この枠用調整体１００の上半部には後述するブッシュ１１０の挿入部１１１を挿入支持するための円筒形の支持凹部１０１が形成されているとともに、下半部には、下向きＵ字形の溝１０２が側面１００ａ，１００ｂ間にわたり形成されており、その溝１０２の半円形にした上壁部分に、上述した調整ねじ９０の雄ねじ部９２，９２に螺合する雌ねじ１０３を螺刻している。
また、側壁１００ｃ，１００ｄには、枠用ベース８０のガイド溝８１に摺動自在に嵌合する突出片１０３，１０３が形成されている。
【００４７】
ブッシュ１１０はたとえばポリアセタール樹脂等の合成樹脂製のものであり、上記した枠用調整体１００の支持凹部１０１に挿入する挿入部１１１の上縁部に、下記の枠側カバー１２０を位置決めするための鍔部１１２を突出した略円筒形に形成されている。このブッシュ１１０は必ずしも必要ではないが、後述する軸２５０との摺動抵抗を低減させる上で好ましいものである。
【００４８】
枠側カバー１２０はたとえばＡＢＳ等の合成樹脂製のものであり、図４に示すように、上記した枠用ベース８０、調整ねじ９０、及び枠用調整体１００を被覆する円筒形に形成されている。
周壁１２１の内面１２１ａであって互いの対向位置には、枠用ベース８０の係止片８６，８６に係止するための係止片１２２，１２２が内方に突出して形成されている。
周壁１２１には、枠用カバー１２０を枠用ベース８０に係着したときに、調整ねじ９０の端面９３，９３に対向する位置に、調整ねじ９０の正逆回転操作を許容するための下向きＵ字形の開口１２３，１２３（一方は図示していない）が形成されている。
また、上壁１２４には、前記した左右方向、すなわち、枠用調整体１００の移動方向に細長い長穴１２５が形成されている。
【００４９】
上記した枠用取付部材７０、枠用ベース８０、調整ねじ９０、枠用調整体１００、ブッシュ１１０、及び枠用カバー１２０の組み立ては、次のとおりである。
まず、枠用取付部材７０の水平取付け部７１に形成した孔７１ｄ，７１ｅと、枠用ベース８０の円形孔８２，８３にリベット４０，４０を挿入してカシメることにより、枠用取付部材７０に枠用ベース８０を固定する。
【００５０】
枠用ベース８０のねじ保持部８４に調整ねじ９０を載置した後、ガイド溝８１に枠用調整体１００を側方から差し込んで、ねじ保持部８４に保持されている調整ねじ９０と螺合させる。ガイド溝８１に差し込んだ枠用調整体１００の支持凹部１０１にブッシュ１１０を挿入載置し、枠用カバー１２０を枠用ベース８０に係着する。
上記した調整ねじ９０をドライバ等により正逆回転させると、調整ねじ９０の正逆回転に従って枠用調整体１００が左右方向（Ｘ方向）で摺動する。
【００５１】
次に、扉側ヒンジ部Ｄについて説明する。
扉側ヒンジ部Ｄは、図３，６，７に示すように、扉用取付部材２００、扉用ベース２１０、第二のねじ部材である調整ねじ２２０、扉用調整体２３０、ガイド部材２４０、軸２５０、ツマミ２６０、付勢部材であるコイルスプリング２７０及び扉用カバー２８０からなり、これらの詳細は次のとおりである。
【００５２】
扉用取付部材２００はたとえばステンレス等の金属製のものであり、平面視において略Ｌ字形板状の水平取付け部２０１と、この水平取付け部２０１の一端部に立設された略縦長方形板状の垂直取付け部２０２とを一体に形成したものである。
水平取付け部２０１の一端側半部２０１ａには円形孔２０２，２０３が、互いに所要の間隔をあいて対角線上に穿設されている。
【００５３】
水平取付け部２０１の他端側半部２０１ｂは、側面視において横向きＬ字形に折曲形成されており、この他端側半部２０１ｂには、扉用調整体２３０の下端部を挿入するための円形孔２０４が形成されているとともに、この円形孔２０４の周囲にはリベット４０…を挿入するための３つのリベット挿入孔２０５…が等角度間隔にして配設されている。
起立部２０１ｃには、木ねじ（図示しない）を挿入するための円形孔２０６が形成されている。
【００５４】
垂直取付け部２０２には、図示しない木ねじを挿入するための２つの円形孔２０６，２０６が対角線上に互いに所要の間隔をおいて穿設されている。
【００５５】
扉用ベース２１０はたとえば亜鉛合金等をダイキャスト成形したものであり、図３，１１に示すように、縦長のベース部２１１の下端部に固定部２１２を水平に突出した正面視Ｌ字形に形成されている。
ベース部２１１は平面視略コ字形のガイド溝２１９が形成されており、このガイド溝２１８の側壁２１３の中央には、下記の調整ねじ２２０を正逆回転自在に保持するねじ保持部２１４が形成されている。
ねじ保持部２１４は、側壁２１３上であって中心軸線Ｄ４に一致して突設したねじ位置決め片２１５の両側に、調整ねじ２２０の雄ねじ部２２２に一致する半径の凹曲面に形成した載置部２１６，２１６を突設した構成になっている。
【００５６】
固定部２１２は平面視においてＵ字枠形に形成されており、これには、所定の角度間隔で３つの円形のリベット挿入孔２１７…が形成されているとともに、両側壁２１２ａ，２１２ａには、下記の扉用カバー２８０を係止するための係止片２１８，２１８が突出して形成されている。
【００５７】
調整ねじ２２０は、上記した調整ねじ９０と同等の構成にしたものであり、それは、細径の円柱状連結部２２１の両側に、その円柱状連結部２２１よりも径太にしかつ互いに同径の雄ねじ部２２２，２２２を形成したものであり、また、両雄ねじ部２２２，２２２に螺刻されたねじを互いにピッチを連続させて形成している。
雄ねじ部２２２，２２２の各外端面２２３，２２３には、図示しないプラスドライバ等を挿入して回転させるための十字溝２２４，２２４（一方は図示しない）が形成されている。
【００５８】
なお、本実施形態においては、同等の構成にした調整ねじ９０と調整ねじ２２０とを使用することにより、換言すると、同一の構成にした２つの調整ねじを使用することにより製造コストの低減を図っているが、これらに限るものではなく、例えば左右調整を行う場合と上下調整を行うときに必要な力の差に従って、互いに外径やピッチを異ならせた調整ねじを採用してもよい。
【００５９】
扉用調整体２３０はたとえば亜鉛合金等をダイキャスト成形したものであり、上記したねじ保持部２１４に保持されている調整ねじ２２０に螺合するねじ螺合部２３１と、後述する軸２５０を支持する軸支持部２３２とからなる。
ねじ螺合部２３１は平面視略コ字形に形成されており、上記したベース部２１１のガイド溝２１９に摺動自在に嵌合する嵌合片２３３，２３３を外方に向けて突設しているとともに、嵌合片２３３，２３３の間に形成したＵ字形溝２３４の半円形部分に、上記した調整ねじ２２０に螺合する雌ねじ部２３５を形成している。
【００６０】
軸支持部２３２は、後述するガイド部材２４０を支持する円筒形にして形成されており、上壁２３２ａには、軸２５０の上端部を上方に突出させるための突出用孔２３６が形成されている。
【００６１】
ガイド部材２４０はたとえばポリアセタール樹脂製のものであり、図３に示すように、下面を開口した円筒部２４１の開口縁部に、上記した軸支持部２３２と同じ外径にした鍔２４２を突出形成している。
また、上壁２４１ａには、軸２５０の上端部を上方に突出させるための突出用孔２４３が形成されている。
【００６２】
軸２５０は例えば冷間圧造用炭素鋼製のものであり、上記したガイド部材２４０の周壁内面２４１ｂに摺接する外径にした太径部２５１と、この太径部２５１よりも径細の細径部２５２とを一体に形成したものである。
細径部２５２の上端面２５２ａには、細径部２５２よりもさらに細径の円柱状突起２５３が突設されている。
【００６３】
ツマミ２６０はたとえばポリアセタール樹脂製のものであり、上記した軸２５０の円柱状突起２５３に嵌挿する嵌挿孔２６１を中心に形成した円板形に形成されている。
【００６４】
コイルスプリング２７０は上記した軸２５０の細径部２５２に嵌挿されるものであり、その細径部２５２の外径よりやや大きな内径にしているとともに、太径部２５１よりもやや小さな外径にして形成されている。
【００６５】
扉側ヒンジ部Ｄの組み立ては、次のとおりである。
まず、扉用取付部材２００の他端側半部２０１ｂに形成したリベット挿入孔２０５…と、扉用ベース２１０のリベット挿入孔２１７…にリベット４０…を挿入してカシメることにより、扉用取付部材２００に扉用ベース２１０を固定する。
【００６６】
扉用ベース２１０のねじ保持部２１４に調整ねじ２２０を載置した後、ガイド溝２１９に扉用調整体２３０を上方又は下方から差し込んで、ねじ保持部２１４に保持されている調整ねじ２２０と螺合させる。これにより、上記した調整ねじ２５０をドライバ等により正逆回転させることにより、調整ねじ２５０の正逆回転に従って扉用取付部材２３０を上下方向（Ｙ方向）で摺動させることができる。
また、ガイド溝２１９に差し込んだ扉用調整体２３０の軸支持部２３２に、ガイド部材２４０を挿入した後、このガイド部材２４０にコイルスプリング２７０を環挿した軸２５０を挿入する。
この状態において、軸２５０は、上端をガイド部材２４０の上壁２４１ａに当接し、下端を軸２５０の太径部２５１の上縁面２５１ａに当接したコイルスプリング２７０によって常時下方に突出させようとする弾性力が加わるが、軸２５０の上端部に固定したツマミ２６０が扉用調整体２３０の上壁２３２ａに当接することにより、一定寸法だけ突出した状態に維持される。
また、上記の軸２５０は、これに下方から上向きの押圧力が加わると、コイルスプリング２７０の弾性力に抗して上方に移動する。
【００６７】
次に、枠側ヒンジ部Ｃと扉側ヒンジ部Ｄとの相対的な位置調整を行うことにより、枠体５０に対する扉６０の取付け位置を調整する作業について説明する。
まず、図５〜７に示すように、扉６０の右側側壁６０ａ下隅部に、扉側ヒンジ部Ｄの扉用取付部材２００の垂直取付け部２０２の輪郭に合わせた切込み６１を形成しておくとともに、扉６０の右側底壁６０ｂ下隅部に、水平取付け部２０１の輪郭に合わせた切込み６２を形成しておく。
【００６８】
そして、上記の切込み６１，６２に、垂直取付け部２０２と、水平取付け部２０１を嵌め込み、木ねじ４１…を円形孔２０２，２０３、２０６，２０６に螺入することにより扉６０に扉側ヒンジ部Ｄを固着する。この場合、水平取付け部２０１の起立部２０１ｃを扉６０の表面に当接させることにより位置決めでき、また、起立部２０１ｃに形成した円形孔２０６に木ねじ４１を螺入することによって、扉６０への扉側ヒンジ部Ｄの固着を強固なものとすることができる。
【００６９】
扉６０に扉側ヒンジ部Ｄを固着した状態では、図２，５，６に示すように、扉用ベース２１０に保持されている調整ねじ２２０は、枠体５０で囲繞区画された空間部外に配置されるようになっている。換言すると、扉６０の表面から前後方向（Ｙ方向）に所要の寸法だけ離間した位置に配置されている。
「所要の寸法」は、ドライバ等の一般工具によって、調整ねじ２２０を容易に回転操作できる程度のものである。
【００７０】
次に、枠体５０の縦枠材５２の右下隅部と横枠材５４に、垂直取付け部７２と水平取付部７１を仮り止めしておき、木ねじ４１…を横長孔７１ｃ，７２ｃ，７２ｂに緩く螺入した状態にし、枠側ヒンジ部Ｃを前後方向（Ｙ方向）で位置決めした後、木ねじ４１…を螺入して固着するとともに、残りの円形孔７２ａ，７２ｄ，７１ｂに木ねじ４１…を螺入して固着する。
このように、木ねじ４１…を横長孔７１ｃ，７２ｃ，７２ｂに緩く螺入した状態にして、枠側ヒンジ部Ｃを前後方向（Ｙ方向）で位置決めすることにより、枠体５０への固定位置を枠体５０の前後方向で無段階に調整可能としている。
また、枠体５０に枠側ヒンジ部Ｃを固着した状態では、図２，５，６に示すように、枠用ベース８０に保持されている調整ねじ９０は、枠体５０で囲繞区画された空間部外に配置されるようになっている。換言すると、扉６０の表面から前後方向（Ｙ方向）に所要の寸法だけ離間した位置に配置されている。
「所要の寸法」は、ドライバ等の一般工具によって、調整ねじ９０を容易に回転操作できる程度のものである。
【００７１】
次に、扉６０の枠体５０への吊り込み作業について説明する。
前記した準備の完了後に、ヒンジ装置Ａは扉６０の右下隅部と枠体５０の縦枠材右下隅部とを向い合わせとなるようにし、また、ヒンジ装置Ｂは扉６０の右上隅部と枠体５０の縦枠材右上隅部とを向合わせとなるようにし、扉６０を枠体６０で囲繞された空間部に吊り込む。
【００７２】
この吊り込みのとき、扉側ヒンジ部Ｄに配設したガイド部材２４０の下方に弾性的に突出している軸２５０を、枠側ヒンジ部Ｃのブッシュ１１０に挿入するが、軸２５０は、枠用カバー１２０又はブッシュ１１０の表面に接触すると、扉６０の自重によって押圧され、この押圧によりコイルスプリング２７０が圧縮される。
これにより、軸２５０がガイド部材２４０内に退行し、また、軸２５０がブッシュ１１０の嵌挿孔２６１に一致したときには、コイルスプリング２７０の弾性力によって伸出するので、抵抗なくヒンジ装置Ａ，Ｂの軸芯を容易に合わせることができる。
【００７３】
次に、枠体５０に対する扉６０の上下，左右方向での相対位置の調整について説明する。図１２は、扉６０を枠体５０に吊り込んだ状態の部分正面図、図１３は、扉６０を上方向に移動調整する様子を示す説明図、図１４は、扉６０を右方向に移動調整する様子を示す説明図である。
【００７４】
図１２に示すように、扉６０を枠体５０に吊り込んだ直後においては、枠体５０の横枠材５３下面と扉６０の上面との間隔が「ａ」、枠体５０の横枠材５４下面と扉６０の下面との間隔が「ｂ」になっており、また、ａ＞ｂの大小関係になっているとする。また、縦枠材５２と扉６０の右側面との間隔を「ｅ」とする。
【００７５】
上記の間隔「ｂ」を広くするには、扉用カバー２８０をいったん取り外して、軸２５０に対して扉用ベース２１０が上方に移動するように調整ねじ２２０をドライバ１５等で回転させる。これにより、扉側ヒンジ部Ｄは、軸２５０に対して上方に移動し、従ってまた、扉６０が上方に移動する。
これにより、枠体５０の横枠材５３下面と扉６０の上面との間隔が「ａ」よりも狭い「ｃ」になり、また、枠体５０の横枠材５４下面と扉６０の下面との間隔が「ｂ」よりも広い「ｄ」になる。このとき、縦枠材５２と扉６０の右側面との間隔は、扉６０の上方への移動調整の前後にわたり間隔ｅに保たれる。
【００７６】
一方、ヒンジ装置Ｂは、扉６０の上方への移動に従って、扉側ヒンジ部Ｄが枠側ヒンジ部Ｃに接近するが、扉側ヒンジ部Ｄに支持されている軸２５０は、これの先端に当接しているブッシュ１１０から下向きの力を受け、この下向きの力よりコイルスプリング２７０が縮退してほぼ一定の弾性力でブッシュ１１０に当接した状態に保持される。すなわち、扉６０を上方に移動調整しても、ヒンジ装置Ｂの調整を行う必要がない。
なお、扉６０を下方に移動させるには、調整ねじ２２０を上記とは逆向きにドライバ１５等で回転させればよい。
【００７７】
扉６０を左右方向に移動調整するには、ヒンジ装置Ａ，Ｂの各調整ねじ９０を、例えば縦枠材５２と扉６０の右側面との間隔ｅを広げる方向に回転させる。これにより、扉６０は、図１４に示す紙面左方向に移動して、縦枠材５２と扉６０の右側面との間隔が「ｅ」よりも広い「ｆ」になる。
この場合も、扉６０の左右方向への移動調整の前後にわたり、枠体５０の横枠材５３下面と扉６０の上面との間隔ａ、枠体５０の横枠材５４下面と扉６０の下面との間隔ｂを保たせることができる。すなわち、扉６０を左右方向に移動調整しても、その調整により扉６０の上下方向の間隔を変えてしまうことがない。換言すると、左右方向への扉の移動調整と、上下方向の移動調整とを互いに独立して行うことができる。
なお、縦枠材５２と扉６０の右側面との間隔ｅを狭めるには、各調整ねじ９０を上記とは逆向きにドライバ１５等で回転させればよい。
【００７８】
以上詳述したことから明らかなように、一実施形態に係るヒンジ装置によれば、枠体に対する扉の相対位置を、枠体の左右方向，枠体の前後方向及び上下方向の３方向において無段階かつ互いに独立して容易に調整することができるとともに、その調整を扉を取り外すことなく行うことができる。
【００７９】
上述した第一の実施形態に係るヒンジ装置Ａ，Ｂは、枠用取付部材７０により、枠体５０の前後方向で扉６０を移動調整する前後方向調整手段を構成し、また、第一のねじ部材である調整ねじ９０、枠用ベース８０、及び枠用調整体１００により、枠体５０の左右方向で扉６０を移動調整する左右方向調整手段をそれぞれ構成している。
また、扉用取付部材２００、第二のねじ部材である調整ねじ２２０、扉用ベース２１０、扉用調整体２３０、軸２５０、及び付勢部材であるコイルスプリング２７０により、枠体５０の上下方向で扉６０を移動調整する上下方向調整手段を構成している。
【００８０】
次に、本発明に係る第二の実施形態のヒンジ装置について、図１５〜１７を参照して説明する。図１５は第二の実施形態に係るヒンジ装置の平断面図、図１６は第二の実施形態に係るヒンジ装置の縦断面図、図１７は第二の実施形態に係るヒンジ装置の正断面図である。
なお、前述した第一の実施形態において説明したものと同等のものには、同一の符号を付してその詳細な説明を省略する。
【００８１】
第二の実施形態に係るヒンジ装置Ｅは、前述した第一の実施形態に係るヒンジ装置と同じく、枠体５０の横枠材５４に固定する枠側ヒンジ部Ｆと、扉６０に固定する扉側ヒンジ部Ｇからなる。
枠側ヒンジ部Ｆは、枠用取付部材３００、枠用ベース３１０、第一のねじ部材である調整ねじ９０、枠用調整体１００、ブッシュ１１０、及び枠用カバー１２０を主要の構成としたものであり、それらの詳細は次のとおりである。なお、調整ねじ９０、枠用調整体１００、ブッシュ１１０、及び枠用カバー１２０については、前述した第一の実施形態に係るヒンジ装置において説明したものと同等のものには、それらと同一の符号を付して説明を省略する。
【００８２】
枠用取付部材３００は、上記した枠用取付部材７０と同等の構成，材質からなるものであり、略横長方形板状の水平取付け部３０１と、この水平取付け部３０１の一端部３０１ａに立設された略縦長方形板状の垂直取付け部３０２とを一体に形成したものである。
【００８３】
水平取付け部３０１の一端部３０１ａ側には、固定用部材である木ねじ（図示しない）を挿入するための円形孔３０１ｂ，３０１ｂが中心軸線Ｄ１上に配設され、また、他端部３０１ｃ側には円形孔３０１ｄ，３０１ｄがそれぞれ互いに所要の間隔をおいて中心軸線Ｄ１の両側に配設されている。
垂直取付け部３０２には、図示しない木ねじを挿入するための円形孔３０２ａ，３０２ａが上側角隅部近傍と下側角隅部近傍に形成されている。
【００８４】
枠用ベース３１０は、上記した枠用ベース８０と同じく亜鉛合金等をダイキャスト成形した略円板状体のものであり、平面視において中心軸線Ｄ１に一致してガイド溝３１１が形成されているとともに、中心軸線Ｄ１を挟む両側に上下面に連通する固定用孔３１２，３１２（図１７参照）が形成されている。
【００８５】
ガイド溝３１１は、上面を開口した正面視において上向きコ字形のものであり、両端を外周壁に臨ませて開口している。
このガイド溝３１１の底面３１１ａ上に、上記したものと同等の調整ねじ９０を正逆回転自在に保持するねじ保持部３１３が形成されているとともに、開口縁部に嵌合用片３１１ｂ，３１１ｂを内方に突出形成している。
【００８６】
ねじ保持部３１３は、底面３１１ａ上であって中心軸線Ｄ２に一致して突設したねじ位置決め片３１４の両側に、前記した調整ねじ９０の雄ねじ部９２の外径に一致する半径の凹曲面に形成した載置部３１５，３１５を突設した構成になっている。
ねじ位置決め片３１４は、調整ねじ４００の円柱状連結部９１の幅と一致し、かつ、上端面３１４ａを中央溝部９１と一致する半径の凹曲面にして形成されている。
外周壁には、中心軸線Ｄ２に一致する対向位置に、枠側カバー１２０の係止突起を係止するための係止片３１６，３１６が形成されている。
【００８７】
上記した調整ねじ９０をドライバ等により正逆回転させると、調整ねじ４００の正逆回転に従って枠用調整体１００が前後方向（Ｙ方向）で摺動する。すなわち、調整ねじ４００の正逆回転に従って枠用調整体１００が前後方向（Ｙ方向）で摺動する点が、前述した第一の実施形態と相違している。
本実施形態においては、調整ねじ４００が、枠体５０の前後方向（Ｙ方向）で扉６０を移動調整するための第三のねじ部材である。
【００８８】
次に、扉側ヒンジ部Ｇについて説明する。
扉側ヒンジ部Ｇは、前述した扉用取付部材２００と同等の構成からなる扉用取付部材３６０、扉用ベース３２０、第二のねじ部材である調整ねじ２２０、第一のねじ部材である調整ねじ３３０、扉用上下調整体３４０、扉用左右調整体３５０、ガイド部材２４０、軸２５０、ツマミ２６０、スプリング２７０及び扉用カバー２８０からなるものである。以下には、扉用ベース３２０、扉用上下調整体３４０、扉用左右調整体３５０の詳細を主として説明する。
【００８９】
扉用取付部材３６０は、たとえばステンレス等の金属製のものであり、平面視において略Ｌ字形板状の水平取付け部３６１と、この水平取付け部３６１の一端部に立設された略縦長方形板状の垂直取付け部３６２とを一体に形成したものである。
水平取付け部３６１の一端側半部には円形孔３６１ａ，３６１ａが、互いに所要の間隔をあいて対角線上に穿設されている。
【００９０】
水平取付け部３６１の他端側半部３６１ｂは、側面視において横向きＬ字形に折曲形成されており、この他端側半部３６１ｂには、扉用上下調整体３４０の下端部を挿入するための楕円形孔３６３が中心軸線Ｄ２に長軸を一致して形成されている。
起立部３６４には、木ねじ（図示しない）を挿入するための円形孔３６４ａが形成されている。
垂直取付け部３６２には、図示しない木ねじを挿入するための２つの円形孔３６２ａ，３６２ａが対角線上に互いに所要の間隔をおいて穿設されている。
【００９１】
扉用ベース３２０は、上記した枠用ベース８０と同じく亜鉛合金等をダイキャスト成形したものであり、扉用取付部材３６０の他端側半部３６１ａに固定する水平板部３２１の一端部に、起立板部３２２を起立形成した側面視において左右逆向きのＬ字形にしたものである。
水平板部３２１の一端部側には、平面視において中心軸線Ｄ３に一致してガイド溝３２３が形成されているとともに、中心軸線Ｄ１に一致して上下面に連通する固定用孔３２４が形成されているとともに、他端部側にも中心軸線Ｄ１に一致して上下面に連通する固定用孔３２５が形成されている
【００９２】
ガイド溝３２３は、上面を開口した正面視において上向きコ字形のものであり、両端を側壁に臨ませて開口している。
このガイド溝３２３の底面３２３ａ上に、上記した調整ねじ９０と同等の調整ねじ３３０を正逆回転自在に保持するねじ保持部３２６が形成されている。
ねじ保持部３２６は、前記したねじ位置決め片と同等の構成からなるねじ位置決め片３２７の両側に、調整ねじ３３０の雄ねじ部３３１，３３１の外径に一致する半径の凹曲面に形成した載置部３２８，３２８（一方は図示しない）を突設した構成になっている。
【００９３】
扉用左右調整体３５０は、水平板部３２１に対して左右方向（Ｘ方向）で摺動自在に乗載した水平板部３５１の一端部に、起立板部３５２を起立形成した側面視において左右逆向きのＬ字形にしたものである。
水平板部３５１の一端部下面にはＵ字形溝３５３が下側を開口して形成されており、そのＵ字形溝３５３の半円形部分に、上記した調整ねじ３３０に螺合する雌ねじ部（図示しない）を形成している。
起立板部３５２には、ねじ保持部３１３と同様の構成からなるねじ保持部３５３が形成されている。
この構成によれば、上記した調整ねじ３３０をドライバ等により正逆回転させると、調整ねじ３３０の正逆回転に従って扉用左右調整体３５０が左右方向（Ｘ方向）で摺動する。
【００９４】
扉用上下調整体３４０は例えば亜鉛合金等をダイキャスト成形したものであり、上記したねじ保持部３５３に保持されている調整ねじ２２０に螺合するねじ螺合部３４１と、軸２５０を支持する軸支持部３４２とからなる。
ねじ螺合部３４１は平面視略コ字形に形成されており、上記した扉用左右調整体３５０のガイド溝に摺動自在に嵌合する嵌合片３４３，３４３を外方に向けて突設しているとともに、嵌合片３４３，３４３の間に形成したＵ字形溝３４４の半円形部分に、上記した調整ねじ２２０に螺合する雌ねじ部（図示しない）を形成している。
【００９５】
軸支持部３４２は、前記したガイド部材２４０を支持する円筒形にして形成されており、上壁３４２ａには、軸２５０の上端部を上方に突出させるための突出用孔３４２ｂが形成されている。
【００９６】
以上の構成においては、調整ねじ２２０を正逆回転させることにより、枠体５０に対する扉６０の相対位置を上下方向で無段階に調整でき、また、調整ねじ３３０を正逆回転させることにより、枠体５０に対する扉６０の相対位置を左右方向で無段階に調整できる。
また、枠体５０に対する扉６０の相対位置を前後方向で調整するには、調整ねじ４００を正逆回転させればよい。
【００９７】
上述した第二の実施形態においては、第三のねじ部材である調整ねじ４００と枠用調整体１００により、枠体５０の前後方向で扉６０を移動調整する前後方向調整手段を構成している。
また、第一のねじ部材である調整ねじ３３０、扉用ベース３２０、及び扉用左右調整体３５０により、枠体５０の左右方向で扉６０を移動調整する左右方向調整手段、第二のねじ部材である調整ねじ２２０、扉用上下調整体３４０、軸２５０、及び付勢部材であるコイルスプリング２７０とにより、枠体５０の上下方向で扉６０を移動調整する上下方向調整手段をそれぞれ構成している。
【００９８】
本発明は、前述した実施形態に限るものではなく、次のような変形実施が可能である。・上述した実施形態においては、同等の構成にした調整ねじ９０，２２０，３３０，４００を使用することにより、換言すると、同一の構成にした３つの調整ねじを使用することにより製造コストの低減を図っているが、これらに限るものではなく、例えば前後左右、及び上下調整を行うときに必要な力の差に従って、外径やピッチを互いに異ならせたものを採用してもよい。
・上述した実施形態においては、扉用上下調整体の軸支持部にガイド部材を嵌挿した例について説明したが、必ずしも必要なものではなく、摺動抵抗等を適宜勘案して設ければよい。
・上述した実施形態においては、軸にコイルスプリングを嵌挿したものを例として説明したが、軸内に中空部を形成しておき、この中空部に上記のものと同等のコイルスプリング等の弾性部材を挿入した構造にしてもよい。
・上述した実施形態においては、枠体への固定位置を枠体の前後方向で無段階に調整可能な枠用取付部材について説明したが、このような枠用取付部材に代えて、扉への固定位置を枠体の前後方向で無段階に調整可能な扉用取付部材を採用してもよい。
【図面の簡単な説明】
【００９９】
【図１】本発明の第一の実施形態に係るヒンジ装置により扉を枠体に開閉自在に取り付けた扉取付け構造を示す斜視図である。
【図２】本発明の第一の実施形態に係るヒンジ装置の外観斜視図である。
【図３】同上の第一の実施形態に係るヒンジ装置の扉側ヒンジ部の分解斜視図である。
【図４】同上の第一の実施形態に係るヒンジ装置の枠側ヒンジ部の分解斜視図である。
【図５】同上の第一の実施形態に係るヒンジ装置の平断面図である。
【図６】同上の第一の実施形態に係るヒンジ装置の縦断面図である。
【図７】同上の第一の実施形態に係るヒンジ装置の正断面図である。
【図８】枠用ベースを示すものであり、（Ａ）は平面図、（Ｂ）は正面図である。
【図９】枠用調整体を示すものであり、（Ａ）は平面図、（Ｂ）は正面図である。
【図１０】扉用調整体を示すものであり、（Ａ）は平面図、（Ｂ）は正面図である。
【図１１】扉用ベースを示すものであり、（Ａ）は平面図、（Ｂ）は正面図である。
【図１２】扉を枠体に吊り込んだ状態の部分正面図である。
【図１３】扉を上方向に移動調整する様子を示す説明図である。
【図１４】扉を右方向に移動調整する様子を示す説明図である。
【図１５】第二の実施形態に係るヒンジ装置の平断面図である。
【図１６】第二の実施形態に係るヒンジ装置の縦断面図である。
【図１７】第二の実施形態に係るヒンジ装置の正断面図である。
【図１８】従来のヒンジ装置の断面図である。
【図１９】同上の従来のヒンジ装置の主要部の分解斜視図である。
【図２０】断面にして示す従来のヒンジ装置を介して扉を枠体に取り付けた状態の部分正面図である。
【符号の説明】
【０１００】
１４          ドライバ等の一般工具
４１          固定用部材（木ねじ）
５０          枠体
６０          扉
７０，３００  枠用取付部材
７１ｃ        長孔
７２ｂ        長孔
７２ｃ        長孔
８０          枠用ベース
９０          第一のねじ部材（調整ねじ）
９４，２２４  回転用溝
１００        枠用調整体
２００        扉用取付部材
２１０        扉用ベース
２２０        第二のねじ部材（調整ねじ）
２３０        扉用調整体
２４０        ガイド部材
２５０        軸
２７０        付勢部材（コイルスプリング）
３２０        扉用ベース
３３０        第一のねじ部材（調整ねじ）
３４０        扉用上下調整体
３５０        扉用左右調整体
３６０        扉用取付部材
３２０        扉用ベース
４００        第三のねじ部材（調整ねじ）
Ａ，Ｂ，Ｅ    ヒンジ装置
Ｃ，Ｆ        枠側ヒンジ部
Ｄ，Ｇ        扉側ヒンジ部
【図１】
2008063771.tif 000003
【図２】
2008063771.tif 000004
【図３】
2008063771.tif 000005
【図４】
2008063771.tif 000006
【図５】
2008063771.tif 000007
【図６】
2008063771.tif 000008
【図７】
2008063771.tif 000009
【図８】
2008063771.tif 000010
【図９】
2008063771.tif 000011
【図１０】
2008063771.tif 000012
【図１１】
2008063771.tif 000013
【図１２】
2008063771.tif 000014
【図１３】
2008063771.tif 000015
【図１４】
2008063771.tif 000016
【図１５】
2008063771.tif 000017
【図１６】
2008063771.tif 000018
【図１７】
2008063771.tif 000019
【図１８】
2008063771.tif 000020
【図１９】
2008063771.tif 000021
【図２０】
2008063771.tif 000022